(57)【特許請求の範囲】
【請求項１】
取付部材に設けた引掛爪を、被取付部材に設けた引掛孔に引掛けることにより、この取付部材を被取付部材に取り付けられるようにしているとともに、
左右に対向配置した被取付部材たる一対の支柱間に、パネルを取り付けるように構成した家具に適用されるものであって、
抜止爪を有する抜止要素を前記取付部材とは別体で設け、この抜止爪を前記引掛孔に挿入するとともに、前記抜止要素を被取付部材たる支柱に引掛けた取付部材に固定することによって、取付部材を被取付部材たる支柱に対して抜脱不能に取り付けられるようにし、
引掛孔を、前記支柱の後端内側隅部に後方及び内方に開放するように設けたパネル取付用凹部の底面たる後向面に開口させるとともに、取付部材をパネルの側縁部にそれぞれ一体的に設け、この取付部材に前方に突出する引掛爪を設けていることを特徴とする部材取付構造。
【請求項２】
引掛孔を、被取付部材に設けた凹部の底面に開口させている請求項１記載の部材取付構造。
【請求項３】
被取付部材に複数の引掛孔を設け、引掛爪を引掛けた引掛孔とは別の引掛孔に抜止爪を挿入するように構成している請求項１又は２記載の部材取付構造。
【請求項４】
引掛爪と抜止爪とが互いに相反する方向を向くように構成している請求項１、２又は３記載の部材取付構造。
【請求項５】
引掛爪をパネルの側縁より外側方に位置させておき、支柱間に取り付けたパネルの側縁が、凹部を構成する内向面と所定距離離間し、なおかつ支柱の後端と正面視重合するか、または、若干凹部内に嵌まり込むように構成している請求項１、２、３又は４記載の部材取付構造。
【請求項６】
取付部材に設けた引掛爪を、被取付部材に設けた引掛孔に引掛けることにより、この取付部材を被取付部材に取り付けられるようにしたものであって、
抜止爪を有する抜止要素を前記取付部材とは別体で設け、この抜止爪を前記引掛孔に挿入するとともに、前記抜止要素を被取付部材に引掛けた取付部材に固定することによって、取付部材を被取付部材に対して抜脱不能に取り付けられるようにしたものであり、
さらに、取付部材に、一対の引掛爪を左右に互いに離間して配置するとともに、抜止要素を左右に離間して配置した一対の抜止爪を具備するものとし、これら取付部材及び抜止要素を、左右に並べて配置した一対の被取付部材間に跨って取り付け得るように構成した部材取付構造。
【発明の詳細な説明】
【０００１】
【発明の属する技術分野】
本発明は、取付部材に設けた引掛爪を、被取付部材に設けた引掛孔に引掛けることにより、この取付部材を被取付部材に取り付けるように構成した部材取付構造に関する。
【０００２】
【従来の技術】
従来、例えば被取付部材たる家具の支柱等に、取付部材たるブラケット等を取り付ける場合、ブラケットには引掛爪を、支柱には引掛孔を設けておき、この引掛爪を、前記引掛孔に挿入して掛け止めるようにしたものが知られている。
【０００３】
また、このように単に掛け止めるだけでは、不測の外力によりブラケットが外れる場合もあるので、支柱に取り付けたブラケットの一部を、さらにねじ等の抜止要素を用いて、支柱に固定し、ブラケットの抜け防止を図ったものも知られている。
【０００４】
【発明が解決しようとする課題】
ところで、この種の家具において、前記引掛孔は、強度上あるいは外観上の都合から、支柱を内方に屈曲させて形成した溝の底面に設けられている場合が多い。
【０００５】
ところが、上述したように、ブラケットの抜け防止を、ねじにより行うものであると、支柱側にめねじ孔等を設けるなどの加工を別途施さなければならず、製作への負担が大きくなる。また、ブラケットを貫通させたねじを、溝内を通過させてその底面にねじ止めする構造となり、ねじ止めしにくいだけでなく、ねじ止め部分において、強度的に不安定なものとなりがちである。
【０００６】
【課題を解決するための手段】
本発明は、かかる点に鑑みてなされたものであって、取付部材に直接固定できる抜止要素を設けることにより、被取付部材側に何ら加工を施さずに、簡単な構成で取付部材の抜止ができるように図ったものである。
【０００７】
【発明の実施の形態】
すなわち、本発明に係る部材取付構造は、取付部材に設けた引掛爪を、被取付部材に設けた引掛孔に引掛けることにより、この取付部材を被取付部材に取り付けられるようにしているとともに、左右に対向配置した被取付部材たる一対の支柱間に、パネルを取り付けるように構成した家具に適用されるものであって、抜止爪を有する抜止要素を前記取付部材とは別体で設け、この抜止爪を前記引掛孔に挿入するとともに、前記抜止要素を被取付部材たる支柱に引掛けた取付部材に固定することによって、取付部材を被取付部材たる支柱に対して抜脱不能に取り付けられるようにし、引掛孔を、前記支柱の後端内側隅部に後方及び内方に開放するように設けたパネル取付用凹部の底面たる後向面に開口させるとともに、取付部材をパネルの側縁部にそれぞれ一体的に設け、この取付部材に前方に突出する引掛爪を設けていることを特徴とする。
【０００８】
このようなものであれば、抜止要素は、取付部材にねじ止め等により固定されるため、被取付部材側に、何ら新たな加工を施すことなく、取付部材の抜止を簡単な構成で実現することができる。さらに、抜止要素は、被取付部材に直接固定されるものではないため、引掛孔の設けられている部位に拘わらず、その固定を無理なく確実に行うことができる。
【０００９】
さらに、パネルを取り付けた状態で他の支柱を背向させて配置した場合に、各支柱のパネル取付用凹部にパネルの側縁部が収容されることとなるため、各支柱の後端同士を付き当てることが可能になる。また、パネルの取付を簡単化することができる。
【００１０】
本発明の効果がより顕著に奏される具体的実施態様としては、引掛孔を、被取付部材に設けた凹部の底面に開口させているものを挙げることができる。
【００１１】
抜止爪を引掛孔に無理なく挿入することができ、なおかつ取付部材の取付位置を複数に変えることができるようにするには、被取付部材に複数の引掛孔を一列に設け、引掛爪を引掛けた引掛孔とは別の引掛孔に抜止爪を挿入するように構成しているものが好ましい。
【００１２】
取付部材の抜止を確実に行うためには、引掛爪と抜止爪とが互いに相反する方向を向くように構成しているものが望ましい。。
【００１３】
このような構成の場合、取り付けたパネルの側縁と支柱との間に間隙ができないようにするとともに、このパネルが、支柱に付随して設けられる種々の部材と干渉することを容易に防止できるようにするには、引掛爪をパネルの側縁より外側方に位置させておき、支柱間に取り付けたパネルの側縁が、凹部を構成する内向面と所定距離離間し、なおかつ支柱の後端と正面視重合するか、または、若干凹部内に嵌まり込むように構成しているものが好適である。
【００１４】
また、並列配置した被取付部材同士を連結する場合には、取付部材に、左右に互いに離間して配置した一対の引掛爪を設けるとともに、抜止要素を左右に離間して配置した一対の抜止爪を具備するものとし、これら取付部材及び抜止要素を、左右に並べて配置した一対の被取付部材間に跨って取り付け得るように構成したものが望ましい。
【００１５】
【実施例】
以下、本発明の一実施例を、図面を参照して説明する。
【００１６】
本実施例に係る家具たるサーバラック１００は、図１〜図３に示すように、支柱１とベース１０９とからなる左右一対の側部支持体１０１を、枠体１０２や梁１０３により連結して自立性を持たせたうえで、前記支柱１間に天板１０４や上棚１０５を設けてなるものであり、支柱１の後端を他のラック１００の支柱１の後端に付き当て、一対を背合わせにして配置することが可能なものである。また、必要に応じて中間棚１０６や配線ダクト１０７等も取り付けられるよう構成してある。
【００１７】
具体的に説明すると、支柱１は、図３、図４等に示すように、その外側面を形成し内方に開口する薄肉の化粧材１１と、その内側面を形成し外方に開口する厚肉の強度材１２とを溶接してなるもので、その上端面には樹脂製のキャップ１３が被覆してある。そしてその内側面後端寄りには、前記強度材１２を一部屈曲させることにより、上端部から下端部に亘って連続して上下に延びる第１の溝Ｍ１が形成してある。この第１の溝Ｍ１を形成する前壁には、横長のスリット孔１４が所定ピッチで上下に複数設けられており、枠体１０２や梁１０３は、その両端部に設けた図示しないフック爪をこれらスリット孔１４に係り合わせた後、補助金具１０８を利用してねじ止めすることなく支柱１に強固に取り付けられている。
【００１８】
一方、この第１の溝Ｍ１を挟んで前方に位置する支柱１の前内側面１ｂには、前後２列をなして上下方向に所定ピッチで縦長のフック孔１５が複数開口させてある。しかして、これら前後のフック孔１５には、図示しない上向爪を係合させてブラケット１５１を仮保持し、これら左右のブラケット１５１の上向面に上棚１０５を載置して下方からねじ止めすることにより、上棚１０５を左右の前内側面１ｂ間に固定するようにしている。また、中間棚１０６も、上棚１０５同様、中間棚用ブラケット１６１を介して左右の前内側面１ｂ間に固定するようにしている。
【００１９】
さらに、この支柱１の前端面１ｃには、上端部から下端部に亘って連続して上下に延びる第２の溝Ｍ２が開口させてあり、この第２の溝Ｍ２の底面に、上下方向に所定ピッチで縦長のフック孔（図示しない）が複数開口させてある。天板１０４は、このフック孔を利用して前記支柱１の前端面から前方に延びるように取り付けられたステー１４１と、前記前内側面１ｂに設けたフック孔１５を利用して支柱１に取り付けられた補助ブラケット１４２とに支持されるようにしている。
【００２０】
また、支柱１における枠体１０２や梁１０３の側方にあたる部位には、切り欠きが設けてあり、この切り欠きに樹脂製の開閉可能な蓋１１０が設けてある。
【００２１】
しかして、本実施例では、図４〜図６に示すように、パネル７の各側縁部７１に固定した取付部材２を、以下に述べる部材取付構造Ａを利用して、支柱１に取り付けることにより、パネル７を支柱１間に横架させ得るように構成している。
【００２２】
すなわち、この部材取付構造Ａは、取付部材２に設けた引掛爪３１を、被取付部材たる支柱１に設けた引掛孔３２に引掛けてパネル７を支柱１に仮止めしておき、前記取付部材２とは別体をなす抜止要素５に設けた抜止爪４を、前記引掛孔３２に挿入するとともに、前記取付部材２にこの抜止要素５をねじ止めすることにより、支柱１にパネル７を抜脱不能に取り付け得るように構成したものである。
【００２３】
各部を詳述すれば、パネル７は、その面板方向を前後方向に一致させて支柱１間に取り付けられる板金製のもので、その両側縁部７１は平断面視ロの字型に屈曲させてある。
【００２４】
取付部材２は、厚肉金属板製のもので、パネル側縁部７１の前面に固定され、このパネル７の面板方向に沿って外側に突出する基板２１と、この基板２１の突出端から直角に屈曲し前方に延びる当たり板２２とから構成してある。しかして、この当たり板２２の先端縁上端部及び下端部に引掛爪３１がそれぞれ一体に設けてある。また、基板２１には、その中間部にめねじ孔Ｂ１がナットＮを溶接することにより設けてある。
【００２５】
この引掛爪３１は、当たり板２２の先端縁から前方に支持部３１１を突出させるとともに、この支持部３１１の先端に、側面視前端縁を膨らませた縦割半円形状の爪本体３１２を一体に設け、この爪本体３１２の下端を、前記支持部３１１の下端よりも下方に延ばしてなる下向きのものである。そして、この爪本体３１２の上下幅及び厚みは、それぞれ後述する引掛孔３２の上下幅及び左右幅と略同一または若干小さくなるように設定してある。
【００２６】
引掛孔３２は、縦長スリット状のもので、支柱１の後端内側隅部に設けたパネル取付用凹部６の底面たる後向面６ａに、上下に所定ピッチで複数が開口させてある。このパネル取付用凹部６は、前記強度材１２を屈曲させて形成した内向面６ｂと後向面６ａとにより形成され、後方及び内方を開放させた溝状をなすものであり、支柱１の上端から下端に亘って連続的に延びるように構成してある。なお、支柱１の後端１ａと前記後向面６ａとの前後の離間距離、すなわちパネル取付用凹部６の前後幅Ｔを、少なくともパネル７の取付部分７１における厚みＨの半分以上に設定している。
【００２７】
抜止要素５は、取付部材２と同様の厚肉金属板製のもので、基板５１とこの基板５１の側縁上端部を直角に屈曲させてなる当たり板５２と、この当たり板５２の先端縁上端部に一体に設けた抜止爪４とからなる。この抜止爪４は、当たり板５２から前方に支持部４１を突出させるとともに、この支持部４１の先端に、側面視前端縁を膨らませた縦割半円形状の爪本体４２を一体に設け、この爪本体４２の下端を支持部４１の下縁と一致させるとともに、その上端を前記支持部４１の上端よりも上方に延ばしてなる上向きのものである。この支持部４１は、その上下幅及び左右幅をそれぞれ引掛孔３２の上下幅及び左右幅と略同一または若干小さくなるように設定してなるものであり、爪本体４２は、その半径を引掛孔３２の上下幅と略同一または若干小さくなるように設定してなるものである。また、基板５１の下端部には、ねじ貫通孔Ｂ２が設けてあり、ねじＢをこのねじ貫通孔Ｂ２に通して、前記取付部材２に設けためねじ孔Ｂ１に締付けることにより、この抜止要素５を取付部材２に固定できるようにしている。
【００２８】
しかして、このような部材取付構造Ａを利用して、取付部材２及びパネル７を支柱１に取り付けるための、より具体的な手順を以下に説明する。
【００２９】
まず、パネル７を支柱１間に後方から近づけ、取付部材２に設けた引掛爪３１を引掛孔３２に水平に挿入した後、落とし込んで引掛爪３１を引掛孔３２に掛け止め、この取付部材２を介してパネル７を支柱１に仮止めする。この状態では、引掛爪３１を構成する爪本体３１２の下端部後縁３１２ａと、当たり板２２の前端縁２２ａとにより、支柱１の壁を挟み込むので、引掛爪３１は、前後方向には移動できないこととなる。なお、上下一対の引掛爪３１は、隣接する引掛孔３２にそれぞれ掛け止められるように設定してある。
【００３０】
次に、抜止爪４を、上の引掛爪３１が掛け止められている引掛孔３２の二つ上の引掛孔３２に挿入し、抜止要素５を上動させる。この際に、抜止要素５を図５に示すように略水平姿勢として支柱１に近づけ、抜止爪４を引掛孔３２に挿入した後、起立させる。しかしてこの状態では、抜止爪４を構成する爪本体４２の上端後縁４２ａが支柱１の内面に接触し、当たり板５２の前端縁５２ａは支柱１の外面に接触する。また、支持部４１が引掛孔３２に略隙間なく嵌合し、位置決めも同時になされる。
【００３１】
その後、ねじＢを、抜止要素５に設けたねじ貫通孔Ｂ２に通して、前記取付部材２に設けためねじ孔Ｂ１に締付けることにより、この抜止要素５を取付部材２に固定する。
【００３２】
この結果、抜止爪４を構成する支持部４１の上端縁が、引掛孔３２の下端に密接又は近接し、取付部材２は上下動できないように支柱１に略がたなく固定されるので、取付部材２の抜け防止が図られる。
【００３３】
なお、本実施例では、特に図６に示すように、支柱１間に取り付けたパネル７の側縁７ａが、凹部６を構成する内向面６ｂと所定距離離間し、なおかつ支柱１の後端１ａと正面視重合するか、または、若干外側方に位置して凹部６内に嵌まり込んだ状態となるように、取付部材２を構成する基板２１の左右突出寸法を設定している。
【００３４】
このように、本実施例によれば、抜止要素５が、取付部材２に対してねじ止めされるため、支柱１側に、何ら新たな加工を施すことがなく、取付部材２の抜止を簡単な構成で実現することができる。さらに、抜止要素５が、支柱１に直接固定されないことから、引掛孔３２が凹部６に設けられているにも拘わらず、取付部材２の固定を無理なく確実に行うことができる。
【００３５】
特に本実施例では、引掛孔３２が所定ピッチで複数設けられていることを利用して、引掛爪３１を挿入する引掛孔３２と、抜止爪４を挿入する引掛孔３２とを異ならせているので、引掛爪３１や抜止爪４の厚みを薄くしたり、あるいは引掛孔３２の左右幅を大きくしたりすることなく、構成上、無理のないものとすることができる。
【００３６】
本実施例特有の効果としては、パネル７を取り付けた状態で他のラック１００を背向させて配置した場合に、各ラック１００のパネル取付用凹部６３にパネル７の側縁部が収容されることとなるため、各ラック１００の支柱１の後端１ａ同士を付き当てることが可能になる点が挙げられる。したがって、これらラック１００を背向させて対にした状態での、奥行き方向の全体の寸法が、パネル７を取り付けたものと取り付けていないものとで同一となり、これらを混在させた場合でも全体としての配置バランスを良好に保つことができる。また、パネル７の側縁部７１が支柱１により隠されるので外観上も好ましいものとすることができるうえ、パネル７の側縁７ａと支柱１の内側面との隙間から光が漏れるといった事態も防止できる。さらに、パネル７を支柱１の後方から取り付けることができるので、その取付作業が極めて簡単になるという効果も奏する。また、パネル７が、凹部６に完全には、嵌まり込まないので、支柱１に設けた蓋１１０やその他の構成要素との干渉を効果的に防止できる。
【００３７】
なお、各部の具体的な構成は、上述した実施例のみに限定されるものではない。例えば、図７〜図９に示すように、取付部材２に、左右に互いに離間して配置した一対の引掛爪３１を設けるとともに、抜止要素５を引掛爪３１と等距離左右に離間して配置した一対の抜止爪４を具備するものとし、左右に並べて配置した一対の被取付部材２たる支柱間に跨るように取付部材２を取り付け得るように構成したものも考えられる。なお、この変形例において、前記実施例に対応する部材には同一の符号を付している。
【００３８】
詳述すれば、取付部材２は、厚肉金属板製のもので、基板２１と、この基板２１の両側縁から直角に屈曲させてなる一対の当たり板２２とから構成してある。しかして、これら各当たり板２２の先端縁上端部及び下端部に引掛爪３１がそれぞれ一体に設けてある。また、基板２１は、当たり板２２よりも上方に延びており、この上延長部分２１ａにおける引掛爪３１の直上にそれぞれめねじ孔Ｂ１が穿ち設けてある。この引掛爪３１については、上記実施例と同様のものであるため、その説明を省略する。
【００３９】
引掛孔３２は、縦長スリット状のもので、本変形例では、支柱１の端面中央に設けた上下に延びる溝６００の底面６０ａに、所定ピッチで複数が開口させてある。
【００４０】
抜止要素５は、取付部材２と同様の厚肉金属板製のもので、基板５１とこの基板５１の両側縁上端部を直角に屈曲させてなる一対の当たり板５２と、これら当たり板５２の先端縁上端部に一体に設けた一対の抜止爪４とからなる。また、基板５１は、当たり板５２よりも下方に延びており、この下延長部分５１ａにおける引掛爪３１の直上にねじ貫通孔Ｂ２がそれぞれ貫通させてある。この抜止爪４については、上記実施例と同様のものであるため、その説明を省略する。
【００４１】
そして、基本的には上記実施例と同様の手順に従い、各支柱１に設けた引掛孔３２に、左右の引掛爪３１を掛け止めて取付部材２を各支柱１に仮止めした後、左右の抜止爪４をそれぞれ各支柱１の引掛孔３２に挿入しつつ、前記取付部材２にねじ止めすることにより、この取付部材２を各支柱１に抜脱不能に取り付ける。
【００４２】
したがって、このようなものであれば、取付部材２を介して、支柱１同士を左右に結合することができる。
【００４３】
その他、例えば、被取付部材は支柱に限られないし、取付部材をオプション部材に設けるなどの変更はもちろん可能である。
【００４４】
このように本発明は上述した図示例に限られず、その趣旨を逸脱しない範囲で種々変形が可能である。
【００４５】
【発明の効果】
以上に詳述したように本発明によれば、抜止要素が、取付部材にねじ止め等により固定されるため、被取付部材側に何ら新たな加工を施すことなく、取付部材の抜止を簡単な構成で実現することができる。さらに、抜止要素は、被取付部材に直接固定されるものではないため、引掛孔の設けられている部位に拘わらず、その固定を無理なく確実に行うことができる。
【００４６】
さらに、左右に対向配置した被取付部材たる一対の支柱間に、パネルを取り付けるように構成した家具に適用されるものであって、左右に対向配置した被取付部材たる一対の支柱間に、パネルを取り付けるように構成した家具に適用されるものであって、引掛孔を、前記支柱の後端内側隅部に後方及び内方に開放するように設けたパネル取付用凹部の底面たる後向面に開口させるとともに、取付部材をパネルの側縁部にそれぞれ一体的に設け、この取付部材に前方に突出する引掛爪を設けているので、パネルの取付を簡単化することができる。
【００４７】
引掛孔を、被取付部材に設けた凹部の底面に開口させているものであれば、従来の取付構造では、取付部材の抜止を行うには、無理が生じやすかったことから、本発明の効果が、より顕著に奏されることとなる。
【００４８】
被取付部材に複数の引掛孔を設け、引掛爪を引掛けた引掛孔とは別の引掛孔に抜止爪を挿入するように構成しているものであれば、引掛爪や抜止爪の厚みを薄くしたり、あるいは引掛孔の左右幅を大きくしたりすることなく、無理のない構造での本発明の実現が可能となるうえ、取付部材の取付位置を複数に変えることができる。
【００４９】
引掛爪と抜止爪とが互いに相反する方向を向くように構成しているものであれば、取付部材の抜止を確実に行うことができる。
【００５０】
さらに、このような構成の場合、引掛爪をパネルの側縁より外側方に位置させておき、支柱間に取り付けたパネルの側縁が、凹部を構成する内向面と所定距離離間し、なおかつ支柱の後端と正面視重合するか、または、若干凹部内に嵌まり込むように構成しておけば、取り付けたパネルの側縁と支柱との間に間隙ができないようにするとともに、このパネルが、支柱に付随して設けられる種々の部材に干渉することを容易に防止することができる。
【００５１】
取付部材に、左右に互いに離間して配置した一対の引掛爪を設けるとともに、抜止要素を左右に離間して配置した一対の抜止爪を具備するものとし、取付部材及び抜止要素を、左右に並べて配置した一対の被取付部材間に跨って取り付け得るように構成したものであれば、並列させた被取付部材同士を結合することができる。
【図面の簡単な説明】
【図１】本発明の一実施例における背向させた一対のサーバラックを示す全体斜視図。
【図２】同実施例における背向させた一対のサーバラックを示す側面図。
【図３】同実施例におけるパネルを取り付けていない状態でのサーバラックを示す後方からみた部分斜視図。
【図４】同実施例における部材取付構造を示す部分分解斜視図。
【図５】同実施例における部材取付構造を示す側断面図。
【図６】同実施例における部材取付構造を示す平断面図。
【図７】本発明の変形例における部材取付構造を示す部分分解斜視図。
【図８】同変形例における部材取付構造を示す側断面図。
【図９】同変形例における部材取付構造を示す平断面図。
【符号の説明】
１００…家具（サーバラック）
Ａ…部材取付構造
１…被取付部材（支柱）
１ａ…後端
２…取付部材
３１…引掛爪
３２…引掛孔
４…抜止爪
５…抜止要素
６…凹部（パネル取付用凹部）
６ａ…底面（後向面）
６ｂ…内向面
６００…凹部（溝）
６０ａ…底面
７…パネル
７ａ…側縁
【図１】
0003676162.tif 000002
【図２】
0003676162.tif 000003
【図３】
0003676162.tif 000004
【図４】
0003676162.tif 000005
【図５】
0003676162.tif 000006
【図６】
0003676162.tif 000007
【図７】
0003676162.tif 000008
【図８】
0003676162.tif 000009
【図９】
0003676162.tif 000010